(57)【要約】【課題】テープ状の記録媒体に記録した映像データを再生する際に、早送り／巻き戻しもしくはサーチ中のテープ位置に対応して目的とする映像の記録位置を利用者が把握可能な出力画面を提供できる記録再生装置を提供する。【解決手段】記録再生処理部は、磁気テープより映像データを読み取る磁気ヘッドを有する。カードメモリ記録再生処理部は、カードメモリから磁気テープの映像データにおける各カットに対応するサムネイルデータを取得する。表示処理部は、磁気テープに対して早送り／巻き戻しもしくはサーチ処理に応じた駆動が行われている場合に、カードメモリ記録再生処理部が取得したサムネイルデータを基に、表示部にサムネイルの一覧を表示するとともに、磁気ヘッドのテープ位置に対応するサムネイルを強調表示する。【選択図】図３
2007142586.tif 000002
【特許請求の範囲】
【請求項１】
映像を表示する表示手段と、
映像データが記録されたテープ状の第１の記録媒体より前記映像データを読み取る読取手段と、
前記読取手段が読み取った前記映像データを基に前記表示手段に再生映像を表示するための映像信号を出力する再生処理手段と、
前記第１の記録媒体に記録された前記映像データにおける各カットに対応するサムネイルデータを記録する第２の記録媒体より前記サムネイルデータを取得する取得手段と、
前記第１の記録媒体に対して早送り／巻き戻しもしくはサーチ処理に応じた駆動が行われている場合に、前記取得手段が取得した前記サムネイルデータを基に、前記表示手段にサムネイルの一覧を表示するとともに、駆動中の前記第１の記録媒体に対する前記読取手段の位置に対応するサムネイルを強調表示する表示制御手段と
を具備することを特徴とする記録再生装置。
【請求項２】
前記第１の記録媒体に対してサーチ処理に応じた駆動が行われている場合に、前記サムネイルの一覧及び前記強調表示を含むサムネイル映像と、前記サーチ処理によるサーチ映像とを切り替えるよう前記表示制御手段に指示する切替手段を更に具備することを特徴とする請求項１に記載の記録再生装置。
【請求項３】
前記サムネイルデータが対応する前記カットの時間の長短を示す時間情報を含む場合に、前記時間情報を基に、全カットの中でより時間の短いカットを特定するカット特定手段を更に具備し
前記表示制御手段は、前記サムネイルデータの数が所定数を超えたと判断した場合に、前記カット特定手段が特定した時間の短いカットに対応するサムネイルデータを間引いて前記表示手段にサムネイルの一覧を表示することを特徴とする請求項１又は２に記載の記録再生装置。
【請求項４】
前記表示制御手段は、前記サムネイルデータの数が所定数を超えたと判断した場合に、再生時間における一定間隔で前記サムネイルデータを間引いて前記表示手段にサムネイルの一覧を表示することを特徴とする請求項１〜３のいずれか１項に記載の記録再生装置。
【請求項５】
前記第１の記録媒体と前記第２の記録媒体が異なる記録媒体であることを特徴とする請求項１〜４のいずれか１項に記載の記録再生装置。
【請求項６】
前記表示制御手段は、前記第１の記録媒体に対してサーチ処理に応じた駆動が行われている場合に、前記サムネイルの一覧及び前記強調表示を含むサムネイル映像と、前記サーチ処理によるサーチ映像とを合成して前記表示手段に表示する合成手段を更に具備することを特徴とする請求項１に記載の記録再生装置。
【発明の詳細な説明】
【技術分野】
【０００１】
本発明は、テープ状の記録媒体に記録されている映像データを再生処理する記録再生装置に関するものである。
【背景技術】
【０００２】
従来、例えば磁気テープである記録媒体を再生処理可能なＶＴＲ（記録再生装置）において、早送り／巻き戻しもしくはサーチ中のテープ位置を画面上に表示する技術がある（特許文献１参照。）。
図７は、従来のサーチ中のテープ位置を表示する画面例を示す図である。図７において、画面７０１にはサーチ動作中の映像７０２が表示されている。７０３は、所謂ノイズバーと呼ばれるものであり、記録媒体が磁気テープである場合にヘッドがトラックをまたがって走査する事により生じる。７０４は、サーチ中のテープ位置の大体の位置をユーザに知らせる為のテープ位置表示である。開始線７０５は磁気テープの始点を表し、終了線７０６は磁気テープの終点を表す線である。ゲージ７０７は、サーチ中の現在のテープ位置が開始線７０５と終了線７０６の間のどの位置にあるかを示すシンボルである。例えば磁気テープの終わり方向にサーチしている時は図８に示すように、ゲージ７０７が右方向に移動する。
【０００３】
図９（ａ）〜（ｃ）は、従来のテープ位置表示を行うための手段の一例を示す図である。図９（ａ）においてリール９０１は、送り出し側のリールである。リール９０２は、巻き取り側のリールである。磁気テープは矢印９０３の方向に動いている。９０４は、磁気ヘッド９０５が設けられたドラムである。この磁気ヘッド９０５が磁気テープ上の映像データを読み取り再生する。リール９０１、９０２には回転軸部分にＦＧと呼ばれる信号発生手段９０６が設けられている。
【０００４】
信号発生手段９０６の構成は、図９（ｂ）に示す様にＳ（極）、Ｎ（極）、Ｓ、Ｎ、、、と磁化された円板９０７がリール９０１、９０２の回転軸に取り付けられている。また、９０８は、磁気ヘッドであり、円板９０７が回転することにより磁気の変化を読み取る。信号出力回路９０９は、磁気ヘッド９０８が読み取った磁気の変化に応じた電気信号を出力する。信号出力回路９０９からの出力波形の一例として、図９（ｃ）にグラフ９１０を示す。磁界の変化周期９１１を読み取る事によりそれぞれのリール９０１、９０２の回転速度を算出する。
【０００５】
キャプスタン９１２はポスト９１３との間に磁気テープを挟んで、磁気テープを所定の速度で送る役目を果たす。この磁気テープの送り速度と両リール９０１、９０２の回転速度からサーチ中の磁気テープの位置を算出して表示する。例えば両方のリールが同じ回転速度であればサーチ中のテープ位置は中間であると判断し、図７のテープ位置表示７０４においてゲージ７０７は、開始線７０５と終了線７０６の中間に表示される。以上の様にしてユーザは早送り／巻き戻しもしくはサーチ中のテープ位置を知ることが出来る。
【０００６】
【特許文献１】特開平０８−０７７７６０号公報（図７、図８参照）
【発明の開示】
【発明が解決しようとする課題】
【０００７】
しかしながら図９に示したような従来の構成では早送り／巻き戻しもしくはサーチ中のテープ位置はわかっても、目的とする映像が磁気テープのどの辺りに記録されているのか。また、記録されている箇所は早送り／巻き戻しもしくはサーチ中の現在のテープ位置に対してどの位先なのか／後なのかという事が分からないという問題がある。
【０００８】
本発明は、上述した事情を考慮してなされたもので、テープ状の記録媒体に記録した映像データを再生する際に、早送り／巻き戻しもしくはサーチ中のテープ位置に対応して目的とする映像の記録位置を利用者が把握可能な出力画面を提供することを目的とする。
【課題を解決するための手段】
【０００９】
この発明は、上述した課題を解決すべくなされたもので、本発明による記録再生装置においては、映像を表示する表示手段と、映像データが記録されたテープ状の第１の記録媒体より映像データを読み取る読取手段と、読取手段が読み取った映像データを基に表示手段に再生映像を表示するための映像信号を出力する再生処理手段と、第１の記録媒体に記録された映像データにおける各カットに対応するサムネイルデータを記録する第２の記録媒体よりサムネイルデータを取得する取得手段と、第１の記録媒体に対して早送り／巻き戻しもしくはサーチ処理に応じた駆動が行われている場合に、取得手段が取得したサムネイルデータを基に、表示手段にサムネイルの一覧を表示するとともに、駆動中の第１の記録媒体に対する読取手段の位置に対応するサムネイルを強調表示する表示制御手段とを具備することを特徴とする。
【００１０】
これにより、第１の記録媒体に対して早送り／巻き戻しもしくはサーチ処理に応じた駆動が行われている場合に、映像データにおける各カットに対応するサムネイルの一覧を表示するとともに、駆動中の第１の記録媒体に対する読取手段の位置に対応するサムネイルを強調表示することができるので、読取手段の位置に対する目的とする映像の記録位置を利用者が把握可能である。ここで、テープ状の第１の記録媒体とは例えば磁気テープの記録媒体である。また、読取手段とは例えば磁気ヘッドなどを示す。また、サーチ処理とは、例えば目的の映像を探す場合に通常の再生速度の数倍の速度で再生する処理である。また、駆動中の第１の記録媒体に対する読取手段の位置とは、例えば、早送り／巻き戻しを磁気テープに対して行っている場合には、磁気ヘッドの早送り／巻き戻し中の磁気テープに対する位置である。また、サーチ処理を磁気テープに対して行っている場合には、磁気ヘッドが磁気テープに接している位置であり、以下の実施形態においてはテープ位置と称する。
【発明の効果】
【００１１】
本発明によれば、記録媒体に記録した映像データを再生する際に、早送り／巻き戻しもしくはサーチ中のテープ位置に対応して目的とする映像の記録位置を利用者が把握可能な出力画面を提供することができる。
【発明を実施するための最良の形態】
【００１２】
以下に、図面を参照して、本発明の好適な実施の形態について説明する。
［第１の実施形態］
まず、本発明の第１の実施形態における記録再生装置の備える表示部の画面に表示される特徴となる出力画面例について説明する。すなわち、映像データを再生する際に、早送り／巻き戻しもしくはサーチ中のテープ位置に対応して目的とする映像の記録位置を利用者が把握可能な出力画面例について説明する。ここで、サーチ処理とは、通常の再生速度よりも早い速度で再生（早送再生ともいう）したり、巻き戻したりする処理であり、再生開始したい映像を探すための処理である。
【００１３】
図１は、本実施形態における出力画面例を示す図である。図１において出力画面１０１は、記録再生装置が順方向（再生方向）にサーチ中の出力画面を示す。出力画面１０１は、磁気テープ上に記録されている映像のカットごとのサムネイル１０２〜１１０の一覧を表示している。尚、カットとは、連続して撮影されたひとまとまりの映像データを示す単位である。サムネイル１０２は、磁気テープの最初に記録されている映像カットのサムネイルである。サムネイル１１０は、磁気テープの最後に記録されている映像カットのサムネイルである。すなわち、サムネイル１０２〜１１０は、左上の位置から再生順に右方向に並んでいる。
【００１４】
また、サムネイル１０４は、サーチ中の（テープ位置を示す）映像カットのサムネイルであり、このサムネイル１０４を太枠１１１でかこむ事によって強調表示している。図２は、サーチ中のテープ位置の変化に応じて強調表示のための太枠１１１が移動する様を示す図である。図２に示すように順方向のサーチ動作なので、太枠１１１はサムネイル１０４→サムネイル１０５→サムネイル１０６という順に移動する。すなわち、サーチ処理によるテープ位置の移動に応じて、磁気テープに記録されているサーチ処理中の映像カットに対応したサムネイルに太枠１１１を移動して表示する。尚、図２においては、太枠１１１の移動に関係するサムネイルにのみ符号を付与して、サムネイル１０２〜１０３、１０７〜１１０の符号は省略している。
【００１５】
次に、本発明の第１の実施形態における記録再生装置として、撮影した映像を磁気テープに記録する機能と、磁気テープに記録された映像を再生する機能とを備えるビデオカメラ（記録再生装置）を例にして、その機能構成について説明する。
【００１６】
図３は、本発明の第１の実施形態におけるビデオカメラ（記録再生装置）の機能構成を示す図である。図３において、３０１は、ビデオカメラであり、以下に示す機能ブロック３０２〜３１９を備える。カメラ処理部３０２は、被写体を撮影して映像信号を出力する。コーデック処理部３０３は、カメラ処理部３０２が出力する映像信号に対して圧縮処理を行う。記録再生処理部３０４は、磁気テープ（第１の記録媒体）３０５に圧縮処理後の映像データを記録する。この時トラック番号生成検出処理部３０６は、記録再生処理部３０４の記録処理に応じてトラック番号を生成する。記録再生処理部３０４は、このトラック番号を映像データと一緒に磁気テープ３０５に記録する。
【００１７】
ここで、記録再生処理部３０４の詳細について説明する。記録再生処理部３０４は、図９に示したような磁気ヘッドが設けられたドラムを磁気テープ３０５に接触させることで、磁気テープ３０５にデータを記録したり、磁気テープ３０５からデータを読み出して再生したりすることができる。
【００１８】
トリガボタン３０７は、記録処理開始を指示するユーザからのトリガ操作を受け付け、トリガ信号を出力する。ＣＰＵ（中央演算装置）３０８は、このトリガ信号を受信すると記録再生処理部３０４を起動すると同時にサムネイル処理部３０９にサムネイル生成のトリガを与える。これにより、サムネイル処理部３０９はサムネイルを生成する。カードメモリ記録再生処理部３１０は、サムネイル処理部３０９が生成したサムネイルのデータをカードメモリ（第２の記録媒体）３１１に記録する。また、この時、カードメモリ記録再生処理部３１０は、トラック番号生成検出処理部３０６が生成するトラック番号（時間情報）も一緒にサムネイルファイルの付随データとしてカードメモリ３１１に記録する。
【００１９】
また、モータ３１９は、ＣＰＵ３０８からの制御に応じて磁気テープ３０５を駆動する駆動手段である。具体的には、モータ３１９は、再生時には磁気ヘッドに対してテープが一定速度で移動するように磁気テープ３０５を駆動する。また、モータ３１９は、早送り／巻き戻し時には、高速で磁気テープ３０５の早送り／巻き戻し処理を行う。また、モータ３１９は、サーチ処理時には、再生時の数倍の速さで磁気ヘッドに対してテープが一定速度で移動するように磁気テープ３０５を駆動する。
【００２０】
次に、再生処理に関わるブロックについて説明する。
まず、記録再生処理部３０４は、磁気テープから映像データを再生する。次に、コーデック処理部３０３は、記録再生処理部３０４が磁気テープ３０５から再生する映像データに対して伸張処理を行う。伸張処理後の映像データは、スイッチ３１２を経由して表示処理部（表示制御手段）３１３に入力される。表示処理部３１３は、スイッチ３１２を経由して入力される映像データを基に、表示部３１４に映像を表示する。一方、サーチ処理などの特殊再生時には、カードメモリ記録再生処理部３１０がカードメモリ３１１から再生したサムネイルデータをサムネイル処理部３０９へ出力する。サムネイル処理部３０９は、再生されたサムネイルデータに対して伸張処理を行い、スイッチ３１２を経由して表示処理部３１３へ出力する。これにより、表示処理部３１３は、表示部３１４にサムネイルを表示する。
【００２１】
また、サムネイルデータを表示処理している時には、表示処理部３１３には、グラフィックジェネレータ３１５が生成した太枠画像データが入力されている。表示処理部３１３は、トラック番号生成検出処理部３０６から入力されているサーチ中のトラック番号と、サムネイル処理部３０９から入力されるサムネイルデータの付随データであるトラック番号に対して後述する比較処理を行う。この比較処理を行うことで、サーチ中の映像カットに対応するサムネイルデータを特定する。また、表示処理部３１３は、サーチ中の映像カットに対応するサムネイルに対してグラフィックジェネレータ３１５で生成された太枠画像データを合成する処理を行う。これにより、図１の太枠画像１１１の付与されたサムネイルが表示部３１４に表示される。
【００２２】
またユーザは、表示切替ボタン（切替手段）３１６を操作することで、サムネイル画面とサーチ映像の画面を切り替えることができる。ユーザが表示切替ボタン３１６で選択した情報は、ＣＰＵ３０８に送られる。ＣＰＵ３０８は、スイッチ３１２を制御してサムネイル画面を表示する場合はスイッチ３１２を端子３１７側に、サーチ映像画面を表示する場合は端子３１８側に切り替える。
【００２３】
次に、どのサムネイルに太枠画像１１１を重ねて表示するかを決めるために、表示処理部３１３が行う上記比較処理について説明する。上記比較処理とは、トラック番号生成検出処理部３０６から入力されているサーチ中のトラック番号と、サムネイル処理部３０９から入力されるサムネイルデータの付随データであるトラック番号とを比較する処理である。なお、以下では、トラック番号生成検出処理部３０６から入力されているサーチ中のトラック番号を、第１のトラック番号という。また、以下では、サムネイル処理部３０９から入力されるサムネイルデータの付随データであるトラック番号を、第２のトラック番号という。
【００２４】
図４は、表示処理部３１３が行う比較処理の概要を示す図である。図４においては、例として４つのサムネイル４０１、４０２、４０３、及び４０４がある。各サムネイルが付随データとして持っている第２のトラック番号がそれぞれ「１０２０１」、「１０５２４」、「２１０２２」、「５２０１１」であるとする。例えばサーチ中の第１のトラック番号が「１０５２４〜２１０２１」である場合、表示処理部３１３は、第１及び第２のトラック番号を比較して第１のトラック番号「１０５２４〜２１０２１」に含まれる第２のトラック番号「１０５２４」に対応するサムネイル４０２を、太枠画像１１１を重ねて表示するサムネイルと判断する。これにより、図４に示すように、表示処理部３１３は、太枠画像１１１をサムネイル４０２に重ねて表示する。
【００２５】
また、例えばサーチ中の第１のトラック番号が「２１０２２〜５２０１０」である場合には、同様の判断により、表示処理部３１３は、太枠画像１１１をサムネイル４０３に重ねて表示する。上述した実施形態においては、サーチ中の再生処理について説明したが、この限りではなく、早送りや巻き戻しにも適用可能である。
【００２６】
本実施形態のビデオカメラ３０１は、磁気テープ３０５に記録した映像データを再生する際に、早送り／巻き戻しもしくはサーチ中のテープ位置に対応して目的とする映像の記録位置を利用者が把握可能な図１に示すような出力画面を提供することができる。これにより、目的とする映像が磁気テープ３０５のどの位置に記録されていて、それが早送り／巻き戻しもしくはサーチ中の現在のテープ位置に対してどの位先（又は後）なのかを一目で判別する事が出来る。
【００２７】
［第２の実施形態］
記録映像のカット時間が短かったり、カット数が多かったりすると、一つの磁気テープにおけるサムネイルが一画面に収まりきらない場合があるという問題がある。第２の実施形態におけるビデオカメラ（記録再生装置）として、上記問題を解決することができるビデオカメラについて説明する。尚、第２の実施形態におけるビデオカメラの機能構成は、図３に示した第１の実施形態におけるビデオカメラ３０１の機能構成と同様であり、以下、第２の実施形態におけるビデオカメラ３０１について説明する。第２の実施形態におけるビデオカメラ３０１が第１の実施形態におけるビデオカメラ３０１と異なる点は、表示処理部３１３におけるサムネイルの表示処理である。以下、第２の実施形態におけるビデオカメラ３０１の特徴的な処理について説明する。
【００２８】
図５は、第２の実施形態におけるサムネイルの表示処理例を示す図である。画面５０１〜画面５０３は、表示処理部３１３の処理により表示部３１４に表示されるサムネイルの一覧画面（以下、サムネイル画面とする）の推移を示す。図５に示す各画面５０１〜５０３において、画面中の四角はサムネイルを示し、その四角内の数字（１〜２０）は、サムネイルの移動（スクロール）が分かりやすいように便宜上付与した通し番号である。また、画面５０１〜５０３に表示中のサムネイルのいずれか一つはサーチ中のテープ位置を示す太枠画像１１１が付与されている。
【００２９】
図５に示すように、画面５０１→画面５０２→画面５０３とサーチ中に表示部３１４に表示されるサムネイル画面が推移する。すなわち、表示処理部３１３は、サーチ中のサムネイル画面において、サムネイルを矢印５００の方向にスクロールさせて順次表示させるように処理する。これにより、一画面に収まりきらない多数のサムネイルがある場合にでも、サーチ中のテープ位置に応じたサムネイルの強調表示を行うことができる。尚、表示しきれていない前後のサムネイル数を合わせて表示してもよい。これにより、目的とする映像が磁気テープ３０５のどの位置に記録されていて、それが早送り／巻き戻しもしくはサーチ中の現在のテープ位置に対してどの位先（又は後）なのかを一目で判別する事が出来る。
【００３０】
また、早送り巻き戻しの様に磁気テープ３０５の移動速度が速いとサムネイル画面のスクロール速度が速くてサムネイルの内容が確認しづらい場合も考えられる。この場合には、表示処理部３１３は、一画面に収まりきる様にサムネイルを間引いて表示を行う。表示処理部３１３における間引き方は、例えば全てのサムネイルの中から対応する映像のカット時間が短いものから順に非表示にしていき、残ったサムネイルの数が一画面に収まる数になった時点で間引きを止めるという処理を行う。
【００３１】
図６は、表示処理部３１３において映像のカット時間を算出する例を示す図である。図６において、サムネイル６０１、サムネイル６０２、及びサムネイル６０３のそれぞれの付随データに含まれるトラック番号がそれぞれ「１０２０１」「１０５２４」、「２１０２２」であるとする。この場合に、表示処理部３１３は、サムネイル６０２のトラック番号からサムネイル６０１のトラック番号を引いた「３２３」をサムネイル６０１に対応する映像カットの経過トラック数として算出する。同様に、表示処理部３１３は、サムネイル６０３のトラック番号からサムネイル６０２のトラック番号を引いた「１０４９８」をサムネイル６０２に対応する映像カットの経過トラック数として算出する。この経過トラック数がカット時間に対応する数値である。この様にして表示処理部３１３は、全てのサムネイルに対して対応する映像の経過トラック数を算出し、より短い経過トラック数に相当するサムネイルから順に非表示とする。
【００３２】
尚、表示処理部３１３は、上述したようにカット時間に応じてサムネイルを間引く以外にも、一画面に収まる数になるまで単純に等間隔に間引いても良い。
【００３３】
第２の実施形態におけるビデオカメラ３０１は、磁気テープ３０５内のカット数やサムネイルの数が多い場合でも、サーチ中のテープ位置に応じたサムネイルの強調表示を含むサムネイルの一覧画面をスクロール表示できる。よって、上記テープ位置を基準に所望する映像が磁気テープ３０５のどの位置に記録されているかを把握することが可能である。
【００３４】
また、第２の実施形態におけるビデオカメラ３０１は、磁気テープ３０５内のカット数やサムネイルの数が多い場合でも、一画面に表示可能な数までサムネイル数を間引く処理を行う。よって、サーチ中のテープ位置に応じたサムネイルの強調表示を含むサムネイルの一覧画面を表示できる。尚、この場合には、スクロール処理を行う必要はない。このように、間引いて一画面でサムネイルを表示することで、所望の映像が早送り／巻き戻しもしくはサーチ中の現在のテープ位置に対してどの位先（又は後）なのかという事を利用者が容易に把握する事が出来る。また、磁気テープ３０５に記録されている映像全体に対する所望の映像の位置についても把握することが可能となる。
【００３５】
尚、上述した第１、第２の実施形態においてはサムネイルの強調表示の例として太枠画像１１１により強調する例を示したが、この限りではなく、例えば強調したいサムネイルだけ輝度を高めに表示する等、種々の強調表示方法を適用しても良い。また、上述した実施形態においては、サーチ中は、サムネイル画面とサーチ画面を切り替えるように構成したが、サムネイル表示の背景にサーチ映像を表示する様に構成しても良い。また、上述した実施形態においては記録再生装置としてビデオカメラを示したが、この限りではなく、例えば、テレビ映像などを録画／再生するビデオデッキなども好適である。
【００３６】
また、ビデオカメラ（記録再生装置）３０１は、上述したように、表示処理部３１３がサムネイル表示に関する処理（図２、図５、及び図６で説明した処理）を全て行う構成に限定さるものではない。図２、図５、及び図６で説明した処理の一部又は全ての機能を実現する為のプログラムをメモリから読み出してＣＰＵ３０８が実行することによりその機能を実現する構成であってもよい。ここで、メモリとは、例えばＲＯＭなどであり、コンピュータ読取可能な記録媒体である。
【００３７】
また、上述したメモリは、ＲＯＭに限定されるものではなく、ＨＤＤ、光磁気ディスク装置、フラッシュメモリ等の不揮発性のメモリや、ＣＤ−ＲＯＭ等の読み出しのみが可能な記録媒体、ＲＡＭ以外の揮発性のメモリであってもよい。あるいはこれらの組合せによるコンピュータ読み取り、書き込み可能な記録媒体より構成されてもよい。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３８】
【図１】第１の実施形態における出力画面例を示す図である。
【図２】サーチ中のテープ位置の変化に応じて強調表示のための太枠１１１が移動する様を示す図である。
【図３】本発明の第１の実施形態におけるビデオカメラ（記録再生装置）の機能構成を示す図である。
【図４】表示処理部３１３が行う比較処理の概要を示す図である。
【図５】第２の実施形態におけるサムネイルの表示処理例を示す図である。
【図６】表示処理部３１３において映像のカット時間を算出する例を示す図である。
【図７】従来のサーチ中のテープ位置を表示する画面例を示す図である。
【図８】図７に示したテープ位置表示７０４におけるゲージ７０７の移動例を示す図である。
【図９】従来のテープ位置表示を行うための手段の一例を示す図である。
【符号の説明】
【００３９】
３０１    ビデオカメラ
３０２    カメラ処理部
３０３    コーデック処理部
３０４    記録再生処理部
３０５    磁気テープ
３０６    トラック番号生成検出処理部
３０７    トリガボタン
３０８    ＣＰＵ（中央演算装置）
３０９    サムネイル処理部
３１０    カードメモリ記録再生処理部
３１１    カードメモリ
３１２    スイッチ
３１３    表示処理部
３１４    表示部
３１５    グラフィックジェネレータ
３１６    表示切替ボタン
３１７、３１８    端子
３１９    モータ
【図１】
2007142586.tif 000003
【図２】
2007142586.tif 000004
【図３】
2007142586.tif 000005
【図４】
2007142586.tif 000006
【図５】
2007142586.tif 000007
【図６】
2007142586.tif 000008
【図７】
2007142586.tif 000009
【図８】
2007142586.tif 000010
【図９】
2007142586.tif 000011